(57)【要約】      （修正有）【課題】簡単に安定した状態で積み重ねたり取り外したりすることができ、容易に運搬できる粘土陶芸用作品乾燥棚を提供する。【解決手段】四角形の底面を有する第１ラック１０と第２ラック２０とを少なくとも有しており、第１ラック１０と第２ラック２０はそれぞれ、底板３０と、相対向している２枚のガイド板４０と、相対向している２枚の側板５０とを有しており、側板５０の上端はガイド板４０の上端よりも上方に配置されており側板５０の下端は底板３０の下端よりも上方に配置されており、ガイド板４０の外側面又は内側面と側板５０の底面により画定され高さ方向に延在している通路５１が形成されており、第２ラック２０の通路５１に第１ラック１０の側板５０が収容されることにより第１ラック１０の上に第２ラック２０が積み重ねられる。【選択図】図１
0003225002.tif 000002
【実用新案登録請求の範囲】
【請求項１】
四角形の底面を有する第１ラックと第２ラックとを少なくとも有しており、前記第１ラックと前記第２ラックはそれぞれ、底板と、相対向している２枚のガイド板と、相対向している２枚の側板とを有しており、前記側板の上端は前記ガイド板の上端よりも上方に配置されており前記側板の下端は前記底板の下端よりも上方に配置されており、前記ガイド板の外側面又は内側面と前記側板の底面により画定され高さ方向に延在している通路が形成されており、前記第２ラックの前記通路に前記第１ラックの前記側板が収容されることにより前記第１ラックの上に前記第２ラックが積み重ねられることを特徴とする粘土陶芸用作品乾燥棚。
【請求項２】
前記通路は前記ガイド板よりも内側に形成されている請求項１に記載の粘土陶芸用作品乾燥棚。
【請求項３】
前記通路は前記ガイド板よりも外側に形成されている請求項１に記載の粘土陶芸用作品乾燥棚。
【請求項４】
前記第１ラック及び前記第２ラックは長方形の底面を有しており、前記ガイド板及び前記側板は前記底面の短辺側に配置されている請求項１〜３のいずれか一項に記載の粘土陶芸用作品乾燥棚。
【請求項５】
枠板を有している請求項１〜４のいずれか一項に記載の粘土陶芸用作品乾燥棚。
【請求項６】
前記底板、前記ガイド板、及び前記側板は木製である請求項１〜５のいずれか一項に記載の粘土陶芸用作品乾燥棚。
【請求項７】
前記側板に持ち手が配置されている請求項１〜６のいずれか一項に記載の粘土陶芸用作品乾燥棚。
【請求項８】
前記底板が開口部を有している請求項１〜７のいずれか一項に記載の粘土陶芸用作品乾燥棚。
【請求項９】
キャスターを有している請求項１〜８のいずれか一項に記載の粘土陶芸用作品乾燥棚。
【考案の詳細な説明】
【技術分野】
【０００１】
本考案は、粘土陶芸用作品乾燥棚に関する。
【背景技術】
【０００２】
従来、作品乾燥棚としてはステンレス等の金属で構成されたアングル棚が多く用いられている。しかし、これら金属製の棚は、重くて場所を取る上に、簡単に積み重ねたり容易に運搬したりすることが困難であった。
【０００３】
そのため、ネジの止め外し等の煩雑な作業なしに簡単に安定した状態で積み重ねたり取り外したりすることができ、棚を一段ずつであっても積み重ねた状態であっても容易に運搬できる作品乾燥棚が望まれてきた。
【考案の概要】
【考案が解決しようとする課題】
【０００４】
本考案は、簡単に安定した状態で棚を積み重ねたり取り外したりすることができ、容易に運搬できる粘土陶芸用作品乾燥棚を提供することを課題とする。
【課題を解決するための手段】
【０００５】
上記課題を達成し得た本考案の粘土陶芸用作品乾燥棚は、以下の点に要旨を有する。
［１］四角形の底面を有する第１ラックと第２ラックとを少なくとも有しており、第１ラックと第２ラックはそれぞれ、底板と、相対向している２枚のガイド板と、相対向している２枚の側板とを有しており、側板の上端はガイド板の上端よりも上方に配置されており側板の下端は底板の下端よりも上方に配置されており、ガイド板の外側面又は内側面と側板の底面により画定され高さ方向に延在している通路が形成されており、第２ラックの通路に第１ラックの側板が収容されることにより第１ラックの上に第２ラックが積み重ねられることを特徴とする粘土陶芸用作品乾燥棚。
［２］通路はガイド板よりも内側に形成されている［１］に記載の粘土陶芸用作品乾燥棚。
［３］通路はガイド板よりも外側に形成されている［１］に記載の粘土陶芸用作品乾燥棚。
［４］第１ラック及び第２ラックは長方形の底面を有しており、ガイド板及び側板は底面の短辺側に配置されている［１］〜［３］のいずれかに記載の粘土陶芸用作品乾燥棚。
［５］枠板を有している［１］〜［４］のいずれかに記載の粘土陶芸用作品乾燥棚。
［６］底板、ガイド板、及び側板は木製である［１］〜［５］のいずれかに記載の粘土陶芸用作品乾燥棚。
［７］側板に持ち手が配置されている［１］〜［６］のいずれかに記載の粘土陶芸用作品乾燥棚。
［８］底板が開口部を有している［１］〜［７］のいずれかに記載の粘土陶芸用作品乾燥棚。
［９］キャスターを有している［１］〜［８］のいずれかに記載の粘土陶芸用作品乾燥棚。
【考案の効果】
【０００６】
本考案に係る粘土陶芸用作品乾燥棚は、ネジの止め外し等の煩雑な作業なしに簡単に安定した状態で棚を積み重ねたり取り外したりすることができ、棚を積み重ねた状態であっても取り外した状態であっても自由に移動させられる。また、棚に作品を収納したまま容易な運搬が可能である。さらに、木製の粘土陶芸用作品乾燥棚の場合は、木が水分を吸収及び放出することによる湿度調節機能により、作品の自然乾燥に最適な粘土陶芸用作品乾燥棚を提供することができる。
【図面の簡単な説明】
【０００７】
【図１】本考案の実施形態に係る粘土陶芸用作品乾燥棚の斜視図を表す。
【図２】本考案の実施形態に係る粘土陶芸用作品乾燥棚の断面図を表す。
【図３】本考案の実施形態に係る粘土陶芸用作品乾燥棚の断面図を表す。
【考案を実施するための形態】
【０００８】
以下、図面を参照しつつ実施の形態に基づき本考案を説明するが、本考案はもとより下記実施の形態によって制限を受けるものではなく、前・後記の趣旨に適合し得る範囲で適当に変更を加えて実施することも勿論可能であり、それらはいずれも本考案の技術的範囲に包含される。なお、各図面において、便宜上、ハッチングや部材符号等を省略する場合もあるが、かかる場合、明細書や他の図面を参照するものとする。また、図面における種々部材の寸法は、実際の寸法とは異なる場合がある。
【０００９】
図１は本考案の実施形態に係る粘土陶芸用作品乾燥棚１の斜視図を表し、図２は図１に示した粘土陶芸用作品乾燥棚１の底板３０及び側板５０に垂直な断面図を表し、図３は図２とは異なる実施形態に係る粘土陶芸用作品乾燥棚１の底板３０及び側板５０に垂直な断面図を表している。
【００１０】
本考案の実施形態に係る粘土陶芸用作品乾燥棚１は、四角形の底面を有する第１ラック１０と第２ラック２０とを少なくとも有しており、第１ラック１０と第２ラック２０はそれぞれ、底板３０と、相対向している２枚のガイド板４０と、相対向している２枚の側板５０とを有しており、側板５０の上端はガイド板４０の上端よりも上方に配置されており側板５０の下端は底板３０の下端よりも上方に配置されており、ガイド板４０の外側面又は内側面と側板５０の底面により画定され高さ方向に延在している通路５１が形成されており、第２ラック２０の通路５１に第１ラック１０の側板５０が収容されることにより第１ラック１０の上に第２ラック２０が積み重ねられている。
【００１１】
第２ラック２０のガイド板４０の外側面又は内側面と側板５０の底面により画定され高さ方向に延在している通路５１に、第１ラック１０の側板５０が収容されることにより第１ラック１０の上に第２ラック２０が積み重ねられることで、ネジの止め外し等の煩雑な作業なしに、ラック同士を簡単に安定した状態で積み重ねることができる。また、第２ラック２０を第１ラック１０から持ち上げることで、第２ラック２０の通路５１から第１ラック１０の側板５０を簡単に引き離すことができるため、それぞれのラックを容易に取り外して個別に運搬することができる。
【００１２】
図１及び図２に示すように、通路５１はガイド板４０よりも内側に形成されていることが好ましい。通路５１がガイド板４０よりも内側に形成されていることで、通路５１は外部に露出しないため、第１ラック１０と第２ラック２０を安定した状態で積み重ねることができ、美観的にも好ましい。
【００１３】
各ラックを製造するためには、底面を形成する部材と側面を形成する部材とが固定される必要がある。よって、第１ラック１０及び第２ラック２０の底面を形成する底板３０と、側面を形成するガイド板４０及び／又は側板５０は固定される必要があるが、底板３０とガイド板４０及び／又は側板５０との固定手段及び固定位置は通路５１を確保できる限り特に限定されない。通路５１がガイド板４０よりも内側に形成される上記実施形態においては、例えば図１に示すように、ガイド板４０と側板５０とが例えばネジ６０により固定されており、さらに底板３０のガイド板４０が配置されていない面に底板３０及びガイド板４０に対して垂直に配置される枠板４１を有しており、枠板４１により底板３０とガイド板４０が固定されていてもよい。
【００１４】
底板３０の大きさは、収納する粘土陶芸作品のサイズや数によって任意に決定できるが、例えば一辺が３０ｃｍ以上の四角形とすることができる。底板３０は、一辺が４０ｃｍ以上の四角形であることがより好ましく、一辺が５０ｃｍ以上の四角形であることがさらに好ましい。また、容易に運搬できるように、底板３０は、一辺が１００ｃｍ以下の四角形であることが好ましく、一辺が９０ｃｍ以下の四角形であることがより好ましく、一辺が８０ｃｍ以下の四角形であることがさらに好ましい。
【００１５】
第１ラック１０及び第２ラック２０の側面はガイド板４０と側板５０により形成される。第１ラック１０及び第２ラック２０を底板３０を下にして個別に床面に置いたときのそれぞれの該側面の床面に垂直な高さ、すなわち床面から側板５０の上端までの距離は、収納する粘土陶芸作品のサイズやラックを積み重ねる段数等により任意に決定できるが、例えば５０ｃｍ以下が好ましく、４５ｃｍ以下がより好ましく、４０ｃｍ以下がさらに好ましい。該側面の高さの下限は特に限定されないが、例えば１５ｃｍ以上が好ましく、２５ｃｍ以上がより好ましい。第１ラック１０及び第２ラック２０の側面の高さが上記範囲であることで、一定以上の高さを有する粘土陶芸作品であっても収納することができ、粘土陶芸用作品乾燥棚１全体を適切な高さとすることができる。
【００１６】
各ラックを積み重ねた状態の粘土陶芸用作品乾燥棚１を底板３０を下にして床面に置いたとき、第１ラック１０の底板の上面から第２ラック２０の底板の下面までの床面に垂直な距離は、収納する粘土陶芸作品のサイズにより任意に決定できるが、例えば４５ｃｍ以下が好ましく、４０ｃｍ以下がより好ましく、３５ｃｍ以下がさらに好ましい。該距離の下限は特に限定されないが、例えば１０ｃｍ以上が好ましく、２０ｃｍ以上がより好ましい。第１ラック１０の底板の上面から第２ラック２０の底板の下面までの床面に垂直な距離が上記範囲であることで、一定以上の高さを有する粘土陶芸作品であっても収納することができ、粘土陶芸用作品乾燥棚１全体を適切な高さとすることができる。
【００１７】
側板５０の下端から上端までの長さは、ガイド板４０の下端から上端までの長さの２倍以上が好ましく、３倍以上がより好ましく、４倍以上がさらに好ましい。また、側板５０の下端から上端までの長さは、ガイド板４０の下端から上端までの長さの８倍以下が好ましく、７倍以下がより好ましく、６倍以下がさらに好ましい。側板５０とガイド板４０それぞれの下端から上端までの長さの比率が上記範囲であることで、軽量でありながら安定した構造の第１ラック１０及び第２ラック２０とすることができる。
【００１８】
粘土陶芸用作品乾燥棚１を底板３０を下にして床面に置いたときの床面に垂直な通路５１の高さは、３ｃｍ以上が好ましく、４ｃｍ以上がより好ましく、５ｃｍ以上がさらに好ましい。通路５１の高さが上記の値以上であれば、第１ラック１０と第２ラック２０を安定した状態で積み重ねることができ、使用中や静置中に外れてしまう等の事故を防ぐことができる。また、通路５１の高さの上限は特に限定されないが、粘土陶芸用作品乾燥棚１の軽量化や積み重ねや取り外しの際の取り扱い性の観点から、１５ｃｍ以下が好ましく、１０ｃｍ以下がより好ましい。
【００１９】
枠板４１を設ける場合の枠板４１の下端から上端までの長さは任意に選択できるが、例えば１０ｃｍ以下が好ましく、８ｃｍ以下がより好ましい。また、枠板４１は幅方向で異なる下端から上端までの長さを有していてもよく、第１ラック１０及び第２ラック２０の中央部分における枠板の下端から上端までの長さは５ｃｍ以下が好ましく、４ｃｍ以下がより好ましい。また、枠板４１の下端から上端までの長さは２ｃｍ以上が好ましく、３ｃｍ以上がより好ましい。枠板４１の下端から上端までの長さが上記範囲であることで、粘土陶芸作品の落下を防止できると共に、粘土陶芸作品の出し入れを容易とすることができる。
【００２０】
図３は、図１及び図２とは異なる実施形態に係る粘土陶芸用作品乾燥棚１の底板３０及び側板５０に垂直な断面図を表す。図３に示すように、通路５１はガイド板４０よりも外側に形成されていてもよい。通路５１がガイド板４０よりも外側に形成されることで、底板３０とガイド板４０を直接固定することができ、枠板４１やその他の固定手段なしに第１ラック１０及び第２ラック２０を作製することが可能となる。これにより、四角形を有する底板３０の４辺の内２辺を開放することができるため、底板３０からはみ出すような特殊な形状の作品であっても収納することができる。
【００２１】
図示していないが、通路５１がガイド板４０よりも外側に形成される上記実施形態であっても、枠板４１が配置されていてもよい。この実施形態においては、枠板４１は、底板３０及びガイド板４０の両方又はどちらか一方に固定されていてもよい。枠板４１が配置されることで、粘土陶芸作品の落下を防止することができる。また、枠板４１の代わりに柵状のストッパー等を設けることもできる。
【００２２】
第１ラック１０及び第２ラック２０は長方形の底面を有しており、ガイド板４０及び側板５０は底面の短辺側に配置されていることが好ましい。ガイド板４０及び側板５０が底面の短辺側に配置されていることで、長辺側から作品の出し入れができるため、広い開口部を確保できて作品の出し入れが容易となる。
【００２３】
底板３０、ガイド板４０、及び側板５０は木製であることが好ましい。特に、シナ合板等の合板製であることが好ましい。底板３０、ガイド板４０、及び側板５０が合板製であることで、作製時の加工が容易となり、各ラックを軽量化でき、美観的にも好ましい。さらに、金属等とは異なり、木には水分を吸収及び放出することによる湿度調節機能が備わっているため、粘土陶芸作品の自然乾燥に適した粘土陶芸用作品乾燥棚１を提供することができる。枠板４１を配置する場合には、枠板４１も、底板３０、ガイド板４０、及び側板５０と同様の材料から製造されることが好ましい。
【００２４】
側板５０に持ち手５２が配置されていることが好ましい。側板５０に持ち手５２が配置されていれば、持ち手５２を持って各ラックの重ね外しを行ったり各ラックを持ち運んだりすることができる。また、各ラックを積み重ねた状態であっても、持ち手５２を持って移動等を行うことができる。持ち手５２は、別の部品により形成されていてもよいし、図１に示すように側板５０を切り抜いたり、或いは側板５０に凸部や凹部を設けることにより形成されていてもよい。持ち手５２の水平方向の幅は、６ｃｍ以上が好ましく、８ｃｍ以上がより好ましく、１０ｃｍ以上がさらに好ましい。また、持ち手５２の水平方向の幅は、１５ｃｍ以下であることが好ましい。持ち手５２の水平方向の幅が上記範囲であれば、安定して把持することができる。
【００２５】
底板３０が開口部３１を有していることが好ましい。底板３０が開口部３１を有していることでラック内の通気性が向上し、粘土陶芸作品の乾燥が容易となる。また、粘土陶芸用作品乾燥棚１を軽量化することができ運搬が容易となる。開口部３１は、図１及び図２に示すように底板３０をすのこ状とすることにより設けられていてもよいし、底板３０を任意の形状に切り抜くことにより設けられていてもよい。
【００２６】
本考案の実施形態に係る粘土陶芸用作品乾燥棚１は、キャスター３２を有していることが好ましい。キャスター３２により、各ラックを積み重ねた状態であっても粘土陶芸用作品乾燥棚１を容易に移動させることができる。キャスター３２は、底板３０やガイド板４０、又は枠板４１等に適宜配置することができる。
【００２７】
各ラックを積み重ねる段数の下限は２段であり、３段以上がより好ましく、４段以上がさらに好ましい。上記範囲に積み重ねることで、粘土陶芸作品を効率的に収納することができる。また、各ラックを積み重ねる段数は、７段以下が好ましく、６段以下がより好ましく、５段以下が特に好ましい。積み重ねの段数が上記の値以下であれば、粘土陶芸用作品乾燥棚１の安定性を保つことができ、最上段のラックも容易に積み重ねたり取り外して運搬したりすることができる。
【符号の説明】
【００２８】
１：粘土陶芸用作品乾燥棚
１０：第１ラック
２０：第２ラック
３０：底板
３１：開口部
３２：キャスター
４０：ガイド板
４１：枠板
５０：側板
５１：通路
５２：持ち手
６０：ネジ
【図１】
0003225002.tif 000003
【図２】
0003225002.tif 000004
【図３】
0003225002.tif 000005